(57)【特許請求の範囲】
【請求項１】
複数チャンネルを備えたディジタルミキサー装置において、
前記チャンネル毎に、
チャンネルに入力されたオーディオ信号を、各チャンネルに設けられた第１端子または第２端子へ出力する切替手段と、
前記第１端子に出力されたオーディオ信号を第１ラインと第２ラインとに伝え、前記第１ラインに伝えられたオーディオ信号のレベルを、第１調整値に応じて制御する一方、前記第２ラインに伝えられたオーディオ信号のレベルを、第２調整値に応じて制御し、前記第２端子に出力されたオーディオ信号のレベルを第３調整値に応じて制御し、該レベルが制御されたオーディオ信号を第３ラインと第４ラインとに伝える際、前記第３ラインに伝えるオーディオ信号と前記第４ラインに伝えるオーディオ信号の比率を、第４調整値に応じて制御する信号処理手段と、
第１操作子と、第２操作子と、
前記オーディオ信号が前記第１端子へ出力されている場合、前記第１操作子に行われた操作に応じて前記第１調整値を変更する一方、前記第２操作子に行われた操作に応じて前記第２調整値を変更し、前記オーディオ信号が前記第２端子に出力されている場合、前記第１操作子に行われた操作に応じて前記第３調整値を変更する一方、前記第２操作子に行われた操作に応じて前記第４調整値を変更する調整値変更手段と、
前記第１操作子の動作軌跡に沿って配置された複数の表示セグメントを備え、前記第１操作子の近傍に配置された第１表示手段と、
前記第２操作子の動作軌跡に沿って配置された複数の表示セグメントを備え、前記第２操作子の近傍に配置された第２表示手段と、
前記オーディオ信号が前記第１端子に出力されている場合、前記第１調整値に対応した表示を前記第１表示手段に行わせる一方、前記第２調整値に対応した表示を前記第２表示手段に行わせ、前記オーディオ信号が前記第２端子に出力されている場合、前記第３調整値に対応した表示を前記第１表示手段に行わせる一方、前記第４調整値に対応した表示を前記第２表示手段に行わせ、前記オーディオ信号が前記第１端子に出力されている場合と、前記第２端子に出力されている場合とで、前記第２調整値の表示態様と、前記第４調整値の表示態様とを異ならせる表示制御手段と
を具備することを特徴とするディジタルミキサー装置。
【発明の詳細な説明】
【０００１】
【発明の属する技術分野】
この発明は、ディジタルミキサー装置に関するものである。
【０００２】
【従来の技術】
周知のように、ミキサー装置はオーディオ信号に対して種々のパラメータを設定する機能を有している。これらのパラメータのうち、特にレベル、パン、バランスは基本的なパラメータとして知られている。ここで、レベルとは、ミキサー機器から出力されるオーディオ信号の全体の音量を調整するパラメータであり、バランスとはステレオ出力の左右の音量バランスを調整するパラメータである。パンとはモノラルソースをステレオ出力に送る時の右側音量と左側音量の比率を設定するパラメータであり、このパラメータにより音像定位が調整される。
【０００３】
図１は、上述したパラメータを含むアナログミキサーの要部の構成を示す概略構成図である。
１０１はこのミキサーの入力端子であり、入力端子１０１に入力された信号は、レベル調整器１０２により音量を調整され、パン調整器１０３によりステレオ出力における左側と右側の音量比率を決められた後、ステレオ出力するためのステレオバスライン１０４に入力される。
このレベル調整器１０２とパン調整器１０３からチャネルＣＮ１は構成されており、図示したチャネルＣＮ２、チャネルＣＮ３・・・はチャネルＣＮ１と同一に構成されている。
【０００４】
ステレオバスライン１０４に入力された各チャネルの右側出力と左側出力の信号は、バランス調整器１０５により、最終的なステレオ出力の左右の音量バランスを調整された後、出力端子１０６から出力される。
以上が、アナログミキサーの要部の構成であるが、さらにイコライザーやコンプレッサーを構成に加える場合や、出力側のチャネルを複数にする場合等がある。
【０００５】
ところで、ミキサーでのレベル、パン、バランスのパラメータ調整は、フェーダーやボリュームを使用して行うのが一般的である。
例えば、ボリュームとＬＥＤ表示器によりパラメータ調整ができるようにＬＥＤ表示装置を構成するとき、図２（ａ）、（ｂ）に示すようにボリュームの近くにＬＥＤ表示器を所定の軌跡に沿って設置し、ボリュームの位置に対応するＬＥＤを点灯表示して、調整値を示すようにしている。使用者は、このＬＥＤの点灯表示で調整値を確認しながら、ボリュームを操作してパラメータ設定を行うことができる。
【０００６】
また、レベルに対しては０レベル（ノミナルレベル）、パンおよびバランスに対してはセンター値（Ｃ値）というように、各々のパラメータには設定基準値が存在する。この設定基準値は、使用者にとって非常に重要な値であるので、常にその位置を明示する必要があり、通常は図２（ａ）に示すようにボリュームの近傍に指標として印刷する方法がとられている。
【０００７】
【発明が解決しようとする課題】
しかし、ミキサーはスタジオ内や舞台裏といった照明が十分でない環境下で使用されることが多いため、ミキサー使用者にとって、ミキサー本体に印刷した指標が読みとりにくく、各パラメータの設定が効率よく行うことができないという問題が生じていた。
【０００８】
この問題は、指標をミキサーに印刷して表示するのではなく、図２（ｂ）に示すように指標用の専用表示ＬＥＤを別途設置することで解決できるが、この専用ＬＥＤを設けるためのコストがかかるという別の問題を発生した。
【０００９】
また、図３に一般的なディジタルミキサの外観部の一部を示したが、この外観パネル上には百個程度のボリュームやＬＥＤが配置されている。
この図に示すように、最近のミキサーにおいては、多機能化・多チャンネル化の方向にあるが、一方でミキサ本体は小型化の要望がある。そのため、複数のパラメータ設定を１つのボリュームで行い、ＬＥＤ表示装置はその時点で選択されているパラメータの値を表示し、ボリュームおよびＬＥＤを共有する方法が採られている。
【００１０】
しかし、この場合においては、指標の位置はパラメータ毎に異なるため、指標用の専用ＬＥＤをパラメータ分だけ別途設けなければならず、さらに、現在のＬＥＤ表示がいずれのパラメータの設定表示を行っているのかを示す手段も別途必要となる問題が生じていた。
本発明は、以上の点に鑑み、多数のパラメータ設定機能を持つディジタルミキサー装置において、複数のパラメータに対する設定値の表示を、１の表示器により効率よく明確に行うディジタルミキサー装置の提供を行うことを目的とする。
【００１１】
【課題を解決するための手段】
本発明は、上述した課題を解決するために、複数チャンネルを備えたディジタルミキサー装置において、前記チャンネル毎に、チャンネルに入力されたオーディオ信号を、各チャンネルに設けられた第１端子または第２端子へ出力する切替手段と、前記第１端子に出力されたオーディオ信号を第１ラインと第２ラインとに伝え、前記第１ラインに伝えられたオーディオ信号のレベルを、第１調整値に応じて制御する一方、前記第２ラインに伝えられたオーディオ信号のレベルを、第２調整値に応じて制御し、前記第２端子に出力されたオーディオ信号のレベルを第３調整値に応じて制御し、該レベルが制御されたオーディオ信号を第３ラインと第４ラインとに伝える際、前記第３ラインに伝えるオーディオ信号と前記第４ラインに伝えるオーディオ信号の比率を、第４調整値に応じて制御する信号処理手段と、第１操作子と、第２操作子と、前記オーディオ信号が前記第１端子へ出力されている場合、前記第１操作子に行われた操作に応じて前記第１調整値を変更する一方、前記第２操作子に行われた操作に応じて前記第２調整値を変更し、前記オーディオ信号が前記第２端子に出力されている場合、前記第１操作子に行われた操作に応じて前記第３調整値を変更する一方、前記第２操作子に行われた操作に応じて前記第４調整値を変更する調整値変更手段と、前記第１操作子の動作軌跡に沿って配置された複数の表示セグメントを備え、前記第１操作子の近傍に配置された第１表示手段と、前記第２操作子の動作軌跡に沿って配置された複数の表示セグメントを備え、前記第２操作子の近傍に配置された第２表示手段と、前記オーディオ信号が前記第１端子に出力されている場合、前記第１調整値に対応した表示を前記第１表示手段に行わせる一方、前記第２調整値に対応した表示を前記第２表示手段に行わせ、前記オーディオ信号が前記第２端子に出力されている場合、前記第３調整値に対応した表示を前記第１表示手段に行わせる一方、前記第４調整値に対応した表示を前記第２表示手段に行わせ、前記オーディオ信号が前記第１端子に出力されている場合と、前記第２端子に出力されている場合とで、前記第２調整値の表示態様と、前記第４調整値の表示態様とを異ならせる表示制御手段とを具備することを特徴とするディジタルミキサー装置を提供する。
【００１２】
【発明の実施の形態】
以下、図面を参照しながらこの発明の実施形態について説明する。
図４はこの発明の一実施形態であるディジタルミキサー装置の構成を表すブロック図である。
【００１３】
（１）ディジタルミキサー装置の構成について
１はディジタルミキサー装置本体の入力端子であり、入力端子１に入力されたアナログ信号は、ゲイン調整器２でゲインを調整された後、Ａ／Ｄ変換器３でアナログ／ディジタル変換され、ディジタル信号処理回路４に入力される。
このディジタル信号処理回路４は、ディジタルフィルタ回路やディレイ回路を包含し、周波数特性やディレイ等の効果を付与する機能を有するものである。
そして、ディジタル信号処理部４によりディジタル信号処理された信号は、切換スイッチ５に入力される。
切換スイッチ５は、１つの入力端子に対して出力端子を２つ有するものであり、入力端子に入力された信号を、出力端子５ａあるいは５ｂのうちのいずれかから出力する。
【００１４】
切換スイッチ５の５ａ出力端子に出力された信号は、バス出力するために２分割された後、レベル調整器６ａおよび７ａによりそれぞれ独立にレベル調整され、バスライン８に入力される。
切換スイッチ５の５ｂ出力端子に出力された信号は、レベル調整器６ｂによりレベル調整され、パン調整器７ｂによってステレオ出力の音像定位を付与された後、バスライン８に入力される。
【００１５】
レベル調整器６ａ、６ｂの調整値および調整基準値は、ＬＥＤ表示ブロック１７によって表示されるようになっており、レベル調整器７ａ、パン調整器７ｂの調整値および調整基準値はＬＥＤ表示ブロック１８によって表示されるようになっている。
図５はＬＥＤ表示ブロック１７とＬＥＤ表示ブロック１８の外観である。
ＬＥＤ表示ブロック１７は、操作子であるつまみ１７Ａの近傍に円周上に配置された複数のＬＥＤｐｘにより構成されており、ＬＥＤ表示ブロック１８は、操作子であるつまみ１８Ａの近傍に円周上に配置された複数のＬＥＤｐｘにより構成されている。
【００１６】
ここで、レベル調整器６ａ、６ｂ、７ａとパン調整器７ｂの制御系統の構成について図６を参照して説明する。
まず、レベル調整器７ａとパン調整器７ｂの制御系統の構成について述べる。
【００１７】
つまみ１８Ａの回転動作量はエンコーダ回路８０１内のエンコーダ（図示せず）によって、回転動作量に応じた電気信号に変換される。そしてこの電気信号は、エンコーダ回路８０１により、書換可能メモリ８０３に入力するためのデータに変換される。
【００１８】
ここで、セレクタ８０２は、１つの入力端子に対して２つの出力端子を有し、入力端子に入力された入力信号は、出力端子８０２ａ、８０２ｂのいずれかから出力される。
この出力端子の選択は、操作ボタン２３の操作に応じてＣＰＵから出力されるコントロール信号Ｓａにより行われる。
【００１９】
セレクタ８０２の出力端子８０２ａから出力されたデータは、書換可能メモリ８０３内のアドレス８０３ａに入力され、直前に書き込まれていたデータと加減算される。この演算結果がアドレス８０３ａの新しい値として書き換わる。
そして、書換後のアドレス８０３ａの値は、レベル駆動回路８０４に入力され、レベル調整器７ａの調整を実行するための信号に変換される。
このレベル駆動回路８０４は、書換可能メモリ８０３内のアドレス８０３ａ値（調整値）に対応したレベル値となるように、レベル調整器７ａを調整する回路である。
上述したことから判るように、アドレス８０３ａは、レベル調整器７ａのレベル調整をするために専用に設けたアドレスであり、すなわち、このアドレス８０３ａ内の値により、レベル調整器７ａがレベル調整される。なお、図６中に表記している「１Ｆ」値は具体例である。
【００２０】
一方、セレクタ８０２の出力端子８０２ｂから出力されたデータは、書換可能メモリ８０３内のアドレス８０３ｂに入力され、直前に書き込まれているデータと加減算される。この演算結果がアドレス８０３ｂの新しい値として書き換わる。
そして、書換後のアドレス８０３ｂの値は、パン駆動回路８０５に入力され、パン調整器７ｂの調整を実行するための信号に変換される。
パン駆動回路８０５は、書換可能メモリ８０３内のアドレス８０３ｂ値（調整値）に対応したパン値となるように、パン調整器７ｂを調整する回路である。
上述したことから判るように、アドレス８０３ｂは、パン調整器７ｂのパン調整をするために専用に設けたアドレスであり、すなわち、このアドレス８０３ｂ内の値により、パン調整器７ｂがパン調整される。なお、図６中に表記している「２Ｃ」値は具体例である。
【００２１】
書換可能メモリ８０３内のアドレス８０３ａとアドレス８０３ｂの値は、セレクタ８０６の入力端子８０６ａと入力端子８０６ｂにそれぞれ入力される。
セレクタ８０６は、２つの入力端子に対して１つの出力端子を有し、２つの入力端子８０６ａ、８０６ｂに入力された信号のいずれか一方を、出力端子から出力する機能を持つものである。この２つの入力端子の切換はセレクタ８０２と同様、コントロール信号Ｓａによって行われる。
【００２２】
セレクタ８０６の出力信号は、ＬＥＤドライバ８０７に入力され、ＬＥＤ表示器１８Ｂを点灯させるための信号に変換される。
ＬＥＤドライバ８０７は、ＬＥＤ表示器１８Ｂ内のＬＥＤｐｘにそれぞれ独立に電流を供給し、点灯させる。
【００２３】
以上が、図４におけるミキサー本体の入力端子１からバスライン８までの構成概要であり、それぞれのバスラインに対して個別に上記構成がされる。
ゲイン調整器２からＬＥＤ表示ブロック１８までの回路構成によりチャネルＣＮ２１が構成されている。図示したチャネルＣＮ２２、ＣＮ２３・・・はチャネルＣＮ２１と同一に構成されており、各々のチャネルの入力信号は、ＣＮ２１と同様の信号処理をされた後、バスライン８に入力される。
【００２４】
バスライン８に入力された後の信号は、ディジタル信号処理回路９に入力される。
ディジタル信号処理回路９は、ディジタル信号処理回路４と同様、ディジタルフィルタ回路やディレイ回路を包含し、周波数特性やディレイ等の効果を付与する。
【００２５】
ディジタル信号処理部９によりディジタル信号処理された信号は、切換スイッチ部１０に入力される。
切換スイッチ部１０は、２つの連動する切換スイッチを有しており、各スイッチは１入力２出力のスイッチとして構成されている。一方の入力端子に供給された信号は、出力端子１０ａまたは１０ｂから出力され、他方の入力端子に供給された信号は、出力端子１０ｃまたは１０ｄから出力される。
【００２６】
切換スイッチ１０の１０ａ、１０ｃ端子から出力された出力信号は、それぞれレベル調整器１２ａ、１３ａによりレベル調整され、Ａ／Ｄ変換器１４ａ、１５ａでディジタル／アナログ変換された後、出力端子１６ａから出力される。
一方、切換スイッチ１０の１０ｄ端子から出力された出力信号は、レベル調整器１２ｂによりレベル調整された後、バランス調整器１３ｂによりステレオ出力の左右の音量バランスを調整され、出力端子１６ｂからステレオ出力される。
【００２７】
レベル調整器１２ａ、１２ｂ、１３ａ、およびバランス調整器１３ｂの調整値は、ＬＥＤ表示ブロック１９，２０内のＬＥＤ表示器（図示せず）によって表示されるが、ＬＥＤ表示ブロック１９，２０は前述した図６におけるＬＥＤ表示ブロック１７、１８と同様に構成されている。
具体的には、ＬＥＤ表示ブロック１９内のＬＥＤ表示器は、レベル調整器１２ａ、１２ｂの調整値のいずれかの内容を表示し、ＬＥＤ表示ブロック２０内のＬＥＤ表示器は、レベル調整器１３ａあるいはバランス調整器１３ｂの調整値のいずれかの内容を表示する。
【００２８】
また、上述したディジタル信号処理回路９からＬＥＤ表示ブロック２０までの回路構成によりチャネルＣＮ２４は構成されているが、図示したチャネルＣＮ２５、ＣＮ２６・・・はチャネルＣＮ２４の構成内容と同一である。
バスライン８から、チャネルＣＮ２５、チャネルＣＮ２６・・・に入力された入力信号は、チャネルＣＮ２４と同様の信号処理が行われた後、ミキサーの出力信号として出力される。
【００２９】
次に、上述したディジタルミキサー装置の動作を説明するが、本実施形態においては、レベルやパンといった複数のパラメータ調整を行うためにモード切換を行っている。以下、このモードについて述べていく。
【００３０】
本実施形態においては、レベル調整器６ａ、７ａを用いて音量バランスを設定するモード（第１のモード）と、レベル調整器６ｂとパン調整器７ｂを用いて音量バランスを調整するモード（第２のモード）がある。
これらの第１のモードと第２のモードの切換は操作ボタン２３によって行われる。すなわち、操作ボタン２３の操作に基づくコントロール信号Ｓａによってモード切換が行われるが、コントロール信号Ｓａが「１」を出力したときは、第１のモードが設定され、コントロール信号Ｓａが「０」を出力したときは、第２のモードが設定される。
【００３１】
以下に各モード毎に動作説明を行う。
（１）第１のモード
第１のモードにおいては、コントロール信号Ｓａは「１」となり、図６において、切換スイッチ５の出力端子は５ａ端子、セレクタ８０２の出力端子は８０２ａ、セレクタ８０６の入力端子は８０６ａがそれぞれ選択される。
この選択により、ディジタルミキサー装置に入力された入力信号は、レベル調整器６ａ、７ａに入力される。そして、ＬＥＤ表示ブロック１８内のつまみ１８Ａで、レベル調整器７ａのレベルを調整することができ、レベル調整器７ａのレベル調整値がＬＥＤ表示器１８Ｂにより表示される。
【００３２】
また同様に、図６のブロック８１内の２つのセレクタが、コントロール信号Ｓａに応じて選択される。これにより、ＬＥＤブロック１７内のつまみ１７Ａで、レベル調整器６ａのレベルが調整され、レベル調整器６ａのレベル調整値がＬＥＤ表示器１７Ｂにより表示される。
【００３３】
図７（ａ）は、この第１のモードの時に、レベル調整器７ａの調整値をＬＥＤ表示器１８Ｂにより表示した一例である。
ＬＥＤ表示器１８Ｂ内の左下のＬＥＤが最も低いレベル、そこから時計回りに順次高いレベルを示すＬＥＤになり、右下のＬＥＤが最も高いレベルに対応している。
ＬＥＤ表示器１８Ｂ内のＬＥＤｐｘのうち、レベル調整器７ａのレベル調整値に相当するＬＥＤと、それより低いレベル値に対応するＬＥＤをすべて点灯させることによりレベルの表示を行っている。
図７（ａ）はレベル調整値が指標値（ノミナル値）よりも小さい場合の表示例である。
【００３４】
なお、レベル調整値の表示と同時に、レベル調整基準値であるノミナル値（０ｄＢ）に相当するＬＥＤも点灯させ、レベル調整のための指標としているが、ここでは指標に相当するＬＥＤの点灯輝度を高くしている。すなわち、レベル調整値を示すＬＥＤと、ノミナル値（０ｄＢ）に相当するＬＥＤの点灯輝度を変え、両者の区別を明確に行っている。
【００３５】
図７（ｂ）は、レベル調整器７ａの調整値が指標値（ノミナル値）に等しくなったときのＬＥＤ表示器１８Ｂの表示であるが、この場合はＬＥＤの点灯輝度を指標用ＬＥＤの点灯輝度と同一にしている。
【００３６】
図７（ｃ）は、レベル調整器７ａの調整値が指標値（ノミナル値）よりも大きい値の場合のＬＥＤ表示例である。
この場合のＬＥＤ表示器１８Ｂの表示形態は、レベル調整値が指標値（ノミナル値）よりも小さいときと同様に、レベル調整値に相当するＬＥＤおよびそれよりも低いレベル値に相当するＬＥＤをすべて点灯させ、同時に、指標を示すＬＥＤのみ輝度を明るくして点灯することとしている。
このようにＬＥＤ点灯輝度を変えて表示を行うことにより、レベル調整値と指標値（ノミナル値）との区別を明確に行っている。
【００３７】
なお、レベル調整器６ａの調整値をＬＥＤ表示器１７Ｂにより表示するときも、上記と同様の形態により表示する。
【００３８】
（２）第２のモード
第２のモードにおいては、コントロール信号Ｓａは「０」となり、図６において、切換スイッチ５の出力端子は５ｂ端子、セレクタ８０２の出力端子は８０２ｂ、セレクタ８０６の入力端子は８０６ｂが、それぞれ選択される。
この選択により、ディジタルミキサー装置に入力された入力信号は、レベル調整器６ｂ、パン調整器７ｂに入力される。そして、ＬＥＤ表示ブロック１８内のつまみ１８Ａで、パン調整器７ｂのパンを調整することができ、同時にパン調整値がＬＥＤ表示器１８Ｂにより表示される。
【００３９】
また同様に、図６のブロック８１内の２つのセレクタがコントロール信号に応じて選択される。これにより、ＬＥＤブロック１７内のつまみ１７Ａで、レベル調整器６ｂのレベルを調整することができ、レベル調整器６ｂのレベル調整値がＬＥＤ表示器１７Ｂにより表示される。
【００４０】
図８（ａ）は、第２のモードの時に、パン調整器７ｂの調整値をＬＥＤ表示器１８Ｂにより表示した一例である。
ＬＥＤ表示器１８Ｂ内の左下のＬＥＤが最も左側に音像を付与する場合に相当し、そこから時計回りに音像を右側に付与する場合に相当していき、右下のＬＥＤが最も右側に音像を付与する場合に相当している。
パン調整値の表示は、ＬＥＤ表示器１８Ｂ内のＬＥＤのうち、パン調整器７ｂの調整値に相当するＬＥＤおよびその両隣のＬＥＤを点灯させることにより、パン調整値をＬＥＤ表示している。
また、パンの調整基準値であるセンター値（Ｃ値）に相当するＬＥＤを指標として別途点灯させているが、レベルの指標と同様、指標表示ＬＥＤの点灯輝度と、パン調整値を表示するＬＥＤの点灯輝度とを変えることで、両者の区別を明確に行っている。
【００４１】
図８（ｂ）は、パン調整器７ｂの調整値に相当するＬＥＤが、指標値（センター値）を示すＬＥＤに等しくなったときのＬＥＤ表示器１５Ｂの表示例である。この場合は、指標値（センター値）を示すＬＥＤを高い点灯輝度により点灯させて、音像が中央であることを示している。
【００４２】
図８（ｃ）は、パン調整値を表示するＬＥＤが、指標値（センター値）を示すＬＥＤに一定範囲内まで近づいたときのＬＥＤ表示器１５Ｂの表示例である。
この場合は、指標値のＬＥＤ点灯を行わないようにし、指標値とパン調整値の表示が混乱するのを避けるよう配慮している。
【００４３】
なお、図８（ｄ）は、パン調整器７ｂのパン調整値についての別の表示例であり、ＬＥＤ表示器１８Ｂ内のＬＥＤのうち、パン調整値に相当するＬＥＤのみを点灯させることにより、パン調整値をＬＥＤ表示したものである。
この場合の指標値（センター値）の表示は、パン調整値を表示するＬＥＤの位置に係わらずに指標値を示すＬＥＤの点灯を行ってもよく、上述したように、パン調整値を表示するＬＥＤが、指標値を示すＬＥＤに一定範囲内まで近づいたときに指標値のＬＥＤ点灯を行わないようにしてもよい。
【００４４】
また、レベル調整器６ｂの調整値をＬＥＤ表示器１７Ｂにより表示するときは、第１のモードの際に述べたレベル調整値の表示方法を適用することが可能である。
【００４５】
以上、第１のモードにおいて、レベル調整器６ａとレベル調整器７ａの調整を、ＬＥＤ表示ブロック１７のつまみ１７ＡとＬＥＤ表示ブロック１８のつまみ１８Ａにより行い、第２のモードにおいて、レベル調整器６ｂとパン調整器７ｂの調整を、ＬＥＤ表示ブロック１７のつまみ１７ＡとＬＥＤ表示ブロック１８のつまみ１８Ａにおいて行う動作について述べた。
ここで、両モードにおいての調整値は、いずれもＬＥＤ表示器１７ＢおよびＬＥＤ表示器１８Ｂを使用して表示されているが、上述のように、レベル調整値の表示形態とパン調整値の表示形態は異なるため、いずれのモードが選択されているか明確に区別することが可能である。
例えば、操作ボタン２３により第１のモードから第２のモードにモード切換が行われたとき、ＬＥＤ表示器１８Ｂの表示は、図７（ａ）から図８（ａ）のように切り換わるため、その表示形態によりモードは明確に区別できる。
【００４６】
以上、図４において、チャネルＣＮ２１についてのモード切換によりレベルとパンの調整値を同一のＬＥＤ表示器で表示したときの例であるが、同様にして、チャネルＣＮ２２、ＣＮ２３・・・についても、モード切換によりレベルとパンの調整値を同一のＬＥＤ表示器で表示できることは言うまでもない。
チャネルＣＮ２１のモード切換を行っているコントロール信号Ｓａを用いてＣＮ２２，ＣＮ２３・・・のモード切換を行ってもよく、また、操作ボタン２３を別途設けて、各チャネルに対してのコントロール信号を設定し、各チャネル毎にモード切換を行うこととしてもよい。
【００４７】
このモード切換は、ディジタルミキサー装置の出力側のチャネルＣＮ２４、ＣＮ２５、ＣＮ２６・・・にも適用される。ここではレベル調整器とバランス調整器の調整値を同一のＬＥＤ表示器で表示している。
たとえば、チャネルＣＮ２４においては、コントロール信号Ｓａが１のとき、すなわちモード１が選択されているときは、レベル調整器１２ａ、１３ａのレベル調整値をＬＥＤ表示ブロック１９，２０により表示する。また、コントロール信号Ｓａが０のとき、すなわちモード０が選択されているときは、レベル調整器１２ｂのレベル調整値および、バランス調整器１３ｂのバランス調整値をＬＥＤ表示ブロック１９，２０により表示する。
この場合も、レベル調整値とバランス調整値のＬＥＤ表示形態を異ならせることにより、各モードに対しての明確なパラメータ表示が可能となる。
【００４８】
以上、この発明の一実施形態であるディジタルミキサー装置を例にとり説明したが、上記例は本発明の一実施例に過ぎず、当発明に何ら限定を与えるものではない。
【００４９】
たとえば、パラメータとしてレベル、パン、バランスの例を示したが、それ以外のパラメータの調整に関しても、本発明を同様に適用することは可能である。また、３つ以上のパラメータの調整に関して、１つのＬＥＤ表示ブロックを共有使用してもよく、この場合は３つのＬＥＤ表示形態を設定すればよい。
【００５０】
パラメータの１つであるレベルについては、ステレオ左出力に対応するレベル調整を行う場合、ステレオ右出力に対応するレベル調整を行う場合、両出力全体のレベルを調整する場合については、それぞれ異なるパラメータ設定と考えて各レベルの表示態様を変えてもよい。
また、パラメータ調整値の表示をＬＥＤ表示器とした例を上げたが、ＬＥＤ、液晶、面表示器のドット表示を使用する表示手段を採用してもよい。
【００５１】
さらに、レベルの調整基準値としてノミナル値以外の値、また、パンやバランスの調整基準値としてセンター値以外の値を使用したい場合にも、本発明は調整基準値として専用ＬＥＤを設ける必要がないため、本発明がそのまま応用でき、複数の基準値を用いたい場合にも容易に対応可能である。
【００５２】
なお、実施例においては、各パラメータの調整ボリュームとしてディジタルエンコーダを使用することを想定してミキサーの構成を行ったが、例えば、アナログ２連ボリュームを使用してもよい。
この場合は、１のパラメータに１のボリュームが対応することになるが、各ボリュームの設定値を１のＬＥＤ表示器に表示し、ＬＥＤ表示器の表示形態を異ならせることにより、各パラメータの表示を明確に行うように構成する。
【００５３】
いずれにしても、本発明により、複数のパラメータの調整値、および各パラメータの調整基準値を１つのＬＥＤ表示ブロック上で明確に表示することが可能となる。
なお、この表示はすべて複数の表示セグメントにより行われるため、暗い環境下において使用されるミキサー機器等において特に効果を発揮する。
【００５４】
【発明の効果】
以上説明したように、本発明によれば、多数のパラメータ設定機能を持つディジタルミキサー装置において、複数のパラメータに対する設定値表示を、１の表示器により効率よく明確に行うことができるという効果を奏する。
【図面の簡単な説明】
【図１】  従来のアナログミキサーの要部構成を示す概略構成図である。
【図２】  従来のミキサーのＬＥＤ表示ブロックの外観図である。
【図３】  一般的なディジタルミキサの外観図の一部である。
【図４】  本発明の一実施形態であるディジタルミキサー装置の構成を示すブロック図である。
【図５】  本発明の一実施形態であるディジタルミキサー装置のＬＥＤ表示ブロックの外観図である。
【図６】  本発明の一実施形態であるディジタルミキサー装置のＬＥＤ表示ブロック周辺の構成を示すブロック図である。
【図７】  本発明の一実施形態であるディジタルミキサー装置において、第１のモード選択時におけるレベル調整値のＬＥＤ表示例である。
【図８】  本発明の一実施形態であるディジタルミキサー装置において、第２のモード選択時におけるパン調整値のＬＥＤ表示例である。
【符号の説明】
１  ミキサー入力端子、２  ゲイン調整器、３  Ａ／Ｄ変換器、４  ディジタル信号処理回路、５  切換スイッチ、６ａ〜７ａ  レベル調整器、７ｂ  パン調整器、８  バスライン、９  ディジタル信号処理回路、１０  切替スイッチ、１２ａ〜１３ａ  レベル調整器、１３ｂ  バランス調整器、１４ａ〜１５ｂ  Ｄ／Ａ変換器、１６ａ〜１６ｂ  出力端子、１７〜２０  ＬＥＤ表示ブロック、２２  ＣＰＵ、２３  パラメータ選択手段
【図１】
0003823631.tif 000002
【図２】
0003823631.tif 000003
【図３】
0003823631.tif 000004
【図４】
0003823631.tif 000005
【図５】
0003823631.tif 000006
【図６】
0003823631.tif 000007
【図７】
0003823631.tif 000008
【図８】
0003823631.tif 000009